(57)【要約】【課題】  ユーザが保有する撮影機器、撮像装置で撮影された他のユーザが撮影した写真を確認可能にし、当該写真の撮影で用いられた撮影機器の設定情報を、自撮像装置に容易に設定すること。【解決手段】  撮像装置は、ユーザ情報をサーバに送信して、サーバが、当該ユーザ情報のユーザが保有する撮影機器が装着された撮像装置で撮影された写真データを取得して、撮像装置に送信する。そして、撮像装置は、サーバから写真データを受信し、当該写真データに含まれる、当該写真データの撮影で用いられた撮影機器の設定情報を、撮像装置に設定することを特徴とする。【選択図】図９
2017017471.tif 000002
【特許請求の範囲】
【請求項１】
写真データを記憶したサーバと、当該写真データを表示し撮影機器をユーザが装着な撮像装置とを含む情報処理システムであって、
前記サーバは、
前記複数の写真データと、ユーザを識別するユーザ情報に対応して、当該ユーザが保有する撮影機器を示す撮影機器情報を記憶する記憶手段と、
前記撮像装置から、ユーザを識別するユーザ情報を受信するユーザ情報受信手段と、
前記ユーザ情報受信手段により受信したユーザ情報に対応して前記記憶手段に記憶された撮影機器情報により示される撮影機器が装着された撮像装置で撮影された写真データを前記記憶手段から取得する取得手段と、
前記取得手段で取得された写真データを前記撮像装置に送信する送信手段と、
を備え、
前記撮像装置は、
ユーザを識別するユーザ情報を前記サーバに送信するユーザ情報送信手段と、
前記送信手段により送信された写真データを受信する写真データ受信手段と、
前記写真データ受信手段により受信した写真データを表示する表示手段と、
前記表示手段により表示された写真データに含まれる、当該写真データの撮影で用いられた撮影機器の設定情報を、撮影機器が装着された前記撮像装置に設定する設定手段と、
を備えることを特徴とする情報処理システム。
【請求項２】
前記サーバの前記記憶手段は、ユーザが保有する撮影機器を示す撮影機器情報を複数記憶し、
前記サーバは、前記記憶手段に記憶された各撮影機器情報のうち、いずれかの撮影機器情報を含む検索条件を前記撮像装置から受信する受信手段を更に備え、
前記サーバの前記取得手段は、前記ユーザ情報受信手段により受信したユーザ情報に対応して前記記憶手段に記憶された各撮影機器情報により示される撮影機器が装着された撮像装置で撮影された複数の写真データを前記記憶手段から取得し、
前記サーバは、前記取得手段で取得された複数の写真データのうち、前記受信手段により受信した検索条件に含まれる撮影機器情報により示される撮影機器が装着された撮像装置で撮影された写真データを特定する特定手段を更に備え、
前記サーバの前記送信手段は、前記特定手段により特定された写真データを、前記特定手段により特定されなかった写真データよりも優先して表示するべく前記撮像装置に送信し、
前記撮像装置は、前記記憶手段に記憶された各撮影機器情報のうち、いずれかの撮影機器情報を含む検索条件を前記サーバに送信する検索条件送信手段を更に備え、
前記撮像装置の前記表示手段は、前記写真データ受信手段により受信した写真データであって前記特定手段により特定された写真データを、前記特定手段により特定されなかった写真データよりも優先して表示することを特徴とする請求項１に記載の情報処理システム。
【請求項３】
前記撮像装置は、
前記表示手段により表示された写真データに含まれる、当該写真データの撮影で用いられた撮影機器の設定情報を、撮影機器が装着された前記撮像装置に設定する、ユーザによる指示を受け付ける受付手段と、
前記受付手段により当該指示を受け付けた場合に、前記表示手段により表示された写真データに含まれる、当該写真データの撮影で用いられた撮影機器と、前記撮像装置が装着された撮影機器とが一致するか否か判定する判定手段と、
前記判定手段により、前記表示手段により表示された写真データに含まれる、当該写真データの撮影で用いられた撮影機器と、前記撮像装置が装着された撮影機器とが一致しないと判定された場合に、前記撮像装置が装着された撮影機器を、当該写真データの撮影で用いられた撮影機器に交換するべく通知する通知手段と、
を更に備えることを特徴とする請求項１又は２に記載の情報処理システム。
【請求項４】
前記撮影機器は、前記撮像装置に着脱可能なレンズ装置であることを特徴とする請求項１乃至３の何れか１項に記載の情報処理システム。
【請求項５】
複数の写真データと、ユーザを識別するユーザ情報に対応して、当該ユーザが保有する撮影機器を示す撮影機器情報を記憶する記憶手段を備えたサーバと、当該写真データを表示し撮影機器をユーザが装着な撮像装置とを含む情報処理システムにおける制御方法であって、
前記サーバのユーザ情報受信手段が、前記撮像装置から、ユーザを識別するユーザ情報を受信するユーザ情報受信工程と、
前記サーバの取得手段が、前記ユーザ情報受信工程により受信したユーザ情報に対応して前記記憶手段に記憶された撮影機器情報により示される撮影機器が装着された撮像装置で撮影された写真データを前記記憶手段から取得する取得工程と、
前記サーバの送信手段が、前記取得工程で取得された写真データを前記撮像装置に送信する送信工程と、
前記撮像装置のユーザ情報送信手段が、ユーザを識別するユーザ情報を前記サーバに送信するユーザ情報送信工程と、
前記撮像装置の写真データ受信手段が、前記送信工程により送信された写真データを受信する写真データ受信工程と、
前記撮像装置の表示手段が、前記写真データ受信工程により受信した写真データを表示する表示工程と、
前記撮像装置の設定手段が、前記表示工程により表示された写真データに含まれる、当該写真データの撮影で用いられた撮影機器の設定情報を、撮影機器が装着された前記撮像装置に設定する設定工程と、
を備えることを特徴とする制御方法。
【請求項６】
複数の写真データと、ユーザを識別するユーザ情報に対応して、当該ユーザが保有する撮影機器を示す撮影機器情報を記憶する記憶手段を備えたサーバと、当該写真データを表示し撮影機器をユーザが装着な撮像装置とを含む情報処理システムで読み取り実行可能なプログラムであって、
前記サーバを、
前記撮像装置から、ユーザを識別するユーザ情報を受信するユーザ情報受信手段と、
前記ユーザ情報受信手段により受信したユーザ情報に対応して前記記憶手段に記憶された撮影機器情報により示される撮影機器が装着された撮像装置で撮影された写真データを前記記憶手段から取得する取得手段と、
前記取得手段で取得された写真データを前記撮像装置に送信する送信手段として機能させ、
前記撮像装置を、
ユーザを識別するユーザ情報を前記サーバに送信するユーザ情報送信手段と、
前記送信手段により送信された写真データを受信する写真データ受信手段と、
前記写真データ受信手段により受信した写真データを表示する表示手段と、
前記表示手段により表示された写真データに含まれる、当該写真データの撮影で用いられた撮影機器の設定情報を、撮影機器が装着された前記撮像装置に設定する設定手段として機能させることを特徴とするプログラム。
【発明の詳細な説明】
【技術分野】
【０００１】
本発明は、ユーザが保有する撮影機器、撮像装置で撮影された他のユーザが撮影した写真を確認可能にし、当該写真の撮影で用いられた撮影機器の設定情報を、自撮像装置に容易に設定するための技術に関する。
【背景技術】
【０００２】
従来、一眼レフカメラ等の撮像装置（デジタルカメラ）で所望の写真を撮影する場合、その撮像装置、及び、その撮像装置に装着されるレンズ装置等の撮影機器の設定情報（シャッター速度、絞り、露出、焦点距離）を手動で設定し、撮影を行っている。
【０００３】
しかしながら、初心者は、所望の写真を撮影するために、そのような設定を手動で行うのは難しかった。
【０００４】
また、例えば、旅行先で、所望の写真を撮影する際、既に、過去に、他のユーザが当該旅行先でほぼ同一の所望の写真を撮影しているケースもある。
【０００５】
そのようなケースでは、その写真が撮影された撮像装置、及び、撮影機器の設定情報を参考にして、手動で、同様の設定情報を設定しなければならず、作業は煩雑であった。
【０００６】
また、自身が保有している撮像装置、及び、撮影機器で設定できる設定情報も、撮像装置、及び、撮影機器の種類によって制限があるため、他のユーザが撮影した全ての写真が撮影された撮像装置、及び、撮影機器の設定情報を、自身が保有している撮像装置、及び、撮影機器にそのまま適用することは出来ない。
【０００７】
そのため、旅行先で、所望の写真を撮影するために、自身が保有している撮像装置、及び、撮影機器で設定できる設定情報を含む写真であって、過去に、他のユーザが当該旅行先で撮影した所望の写真をインターネット上のサーバから探し出すのは難しかった。
【０００８】
特許文献１には、サンプル画像をデジタルカメラで撮影し、当該撮影したサンプル画像に基づいて、これに対応する撮影モードをカメラ内に自動的に設定することが記載されている。
【先行技術文献】
【特許文献】
【０００９】
【特許文献１】特開２００４−２２２８７８４号公報
【発明の概要】
【発明が解決しようとする課題】
【００１０】
近年、ネットワーク上のサーバに、ユーザが保持する撮像装置、及び撮影機器の商品名や、複数ユーザが撮影した多数の写真を登録して、インターネット上の不特定多数に当該多数の写真を公開するサービスが提供されている。
【００１１】
しかしながら、例えば、旅行先などで、他のユーザが撮影し自身が保有する撮像装置、及び撮影機器でも撮影可能な写真を確認し、その写真が撮影された、撮像装置、撮影機器の設定情報を、自身が保有する撮像装置、及び撮影機器に容易に設定することは開示されていない。
【００１２】
そこで、本発明の目的は、ユーザが保有する撮影機器、撮像装置で撮影された他のユーザが撮影した写真を確認可能にし、当該写真の撮影で用いられた撮影機器の設定情報を、自撮像装置に容易に設定することができる仕組みを提供することである。
【課題を解決するための手段】
【００１３】
本発明は、写真データを記憶したサーバと、当該写真データを表示し撮影機器をユーザが装着な撮像装置とを含む情報処理システムであって、前記サーバは、前記複数の写真データと、ユーザを識別するユーザ情報に対応して、当該ユーザが保有する撮影機器を示す撮影機器情報を記憶する記憶手段と、前記撮像装置から、ユーザを識別するユーザ情報を受信するユーザ情報受信手段と、前記ユーザ情報受信手段により受信したユーザ情報に対応して前記記憶手段に記憶された撮影機器情報により示される撮影機器が装着された撮像装置で撮影された写真データを前記記憶手段から取得する取得手段と、前記取得手段で取得された写真データを前記撮像装置に送信する送信手段と、を備え、前記撮像装置は、ユーザを識別するユーザ情報を前記サーバに送信するユーザ情報送信手段と、前記送信手段により送信された写真データを受信する写真データ受信手段と、前記写真データ受信手段により受信した写真データを表示する表示手段と、前記表示手段により表示された写真データに含まれる、当該写真データの撮影で用いられた撮影機器の設定情報を、撮影機器が装着された前記撮像装置に設定する設定手段と、を備えることを特徴とする。
【００１４】
また、本発明は、複数の写真データと、ユーザを識別するユーザ情報に対応して、当該ユーザが保有する撮影機器を示す撮影機器情報を記憶する記憶手段を備えたサーバと、当該写真データを表示し撮影機器をユーザが装着な撮像装置とを含む情報処理システムにおける制御方法であって、前記サーバのユーザ情報受信手段が、前記撮像装置から、ユーザを識別するユーザ情報を受信するユーザ情報受信工程と、前記サーバの取得手段が、前記ユーザ情報受信工程により受信したユーザ情報に対応して前記記憶手段に記憶された撮影機器情報により示される撮影機器が装着された撮像装置で撮影された写真データを前記記憶手段から取得する取得工程と、前記サーバの送信手段が、前記取得工程で取得された写真データを前記撮像装置に送信する送信工程と、前記撮像装置のユーザ情報送信手段が、ユーザを識別するユーザ情報を前記サーバに送信するユーザ情報送信工程と、前記撮像装置の写真データ受信手段が、前記送信工程により送信された写真データを受信する写真データ受信工程と、前記撮像装置の表示手段が、前記写真データ受信工程により受信した写真データを表示する表示工程と、前記撮像装置の設定手段が、前記表示工程により表示された写真データに含まれる、当該写真データの撮影で用いられた撮影機器の設定情報を、撮影機器が装着された前記撮像装置に設定する設定工程と、を備えることを特徴とする。
【００１５】
また、本発明は、複数の写真データと、ユーザを識別するユーザ情報に対応して、当該ユーザが保有する撮影機器を示す撮影機器情報を記憶する記憶手段を備えたサーバと、当該写真データを表示し撮影機器をユーザが装着な撮像装置とを含む情報処理システムで読み取り実行可能なプログラムであって、前記サーバを、前記撮像装置から、ユーザを識別するユーザ情報を受信するユーザ情報受信手段と、前記ユーザ情報受信手段により受信したユーザ情報に対応して前記記憶手段に記憶された撮影機器情報により示される撮影機器が装着された撮像装置で撮影された写真データを前記記憶手段から取得する取得手段と、前記取得手段で取得された写真データを前記撮像装置に送信する送信手段として機能させ、前記撮像装置を、ユーザを識別するユーザ情報を前記サーバに送信するユーザ情報送信手段と、前記送信手段により送信された写真データを受信する写真データ受信手段と、前記写真データ受信手段により受信した写真データを表示する表示手段と、前記表示手段により表示された写真データに含まれる、当該写真データの撮影で用いられた撮影機器の設定情報を、撮影機器が装着された前記撮像装置に設定する設定手段として機能させることを特徴とする。
【発明の効果】
【００１６】
本発明によれば、ユーザが保有する撮影機器、撮像装置で撮影された他のユーザが撮影した写真を確認可能にし、当該写真の撮影で用いられた撮影機器の設定情報を、自撮像装置に容易に設定することができる。
【図面の簡単な説明】
【００１７】
【図１】本発明の実施形態に係る情報処理システムのシステム構成図の一例を示す図である。
【図２】図１に示す撮像装置１００１（デジタルカメラ）の概略構成を示すブロック図である。
【図３】図１に示したＷｅｂサーバ１００３に適用可能な情報処理装置のハードウェア構成を示すブロック図の一例を示す図である。
【図４】撮像装置１００１の表示部１１０に表示された写真公開サイトへのログイン画面の一例を示す図である。
【図５】撮像装置１００１の表示部１１０に表示された環境情報選択画面の一例を示す図である。
【図６】ステップＳ９１２で表示される写真データの一例を示す図である。
【図７】ステップＳ９１５で表示される警告画面３１６の一例を示す図である。
【図８】Ｗｅｂサーバ１００３の外部メモリ２１１に記憶された各種データテーブルの一例を示す図である。
【図９】図１における撮像装置１００１とＷｅｂサーバ１００３とが実行する制御処理手順を示すフローチャートの一例を示す図である。
【発明を実施するための形態】
【００１８】
以下、添付図面を参照して本発明の好適な実施形態を詳細に説明する。
＜図１の説明＞
【００１９】
図１は、本発明の実施形態に係る情報処理システムのシステム構成図の一例を示す図である。
【００２０】
本発明の実施形態に係る情報処理システムは、撮像装置１００１、Ｗｅｂサーバ１００３とを備えている。
【００２１】
撮像装置１００１は、デジタルカメラであり、本発明の撮像装置の適用例であり、写真データを表示し、レンズ装置等の撮影機器をユーザが装着な撮像装置である。
【００２２】
また、撮像装置１００１は、インターネット等のネットワーク１００２を介して、Ｗｅｂサーバ１００３と通信可能に接続されている。
【００２３】
撮像装置１００１は、撮影して得られた写真データをＷｅｂサーバ１００３にアップロードして登録する機能を備える。
【００２４】
また、Ｗｅｂサーバ１００３は、本発明のサーバの適用例であり、複数の写真データを記憶しており、撮像装置１００１からの要求に応じて、当該記憶されている写真データを撮像装置１００１に送信する機能を備えている。
【００２５】
撮像装置１００１は、Ｗｅｂサーバ１００３から受信した写真データを表示し、当該写真データのＥＸＩＦ情報に含まれているデジタルカメラの機器の設定情報を、撮像装置１００１に設定する機能を備えている。
＜図２の説明＞
【００２６】
図２は、図１に示す撮像装置１００１（デジタルカメラ）の概略構成を示すブロック図である。
【００２７】
図１において、１０１は、被写体の光学像を撮像素子１０３に結像させる、絞り機構を内包した撮像レンズである。なお、撮像レンズ１０１は、撮像光学系の構成要素である。
【００２８】
撮像光学系は、撮像レンズ、撮像レンズの焦点距離を変更可能とするズームレンズ等を有しており、カメラ筐体の前面に配置される。なお、撮像光学系の前面には、カメラ本体部の電源状態（即ち、ＯＮ又はＯＦＦ）に応じて、撮像レンズの光路を開閉するレンズバリア部を設けてもよい。
【００２９】
１０５は、制御・演算部１０８による制御に基づき、撮像レンズ１０１に対してフォーカスレンズや絞り等の制御を行うレンズ駆動部である。
【００３０】
１０２は、シャッタであり、撮像レンズ１０１を通ってきた入射光の遮光と露光時間の制御とを行う。
【００３１】
１０６は、全体制御・演算部１０８による制御に基づき、上述したシャッタの駆動を行うシャッタ駆動部である。
【００３２】
１０３は、撮像レンズ１０１により結像された被写体の光学像を電気的な画像信号に変換して取り込むための、複数の画素を２次元に配列して成る撮像素子である。本実施の形態の撮像素子１０３は、例えば、ＣＭＯＳセンサ又はＣＣＤセンサで形成されている。
【００３３】
１０４は、撮像素子１０３から出力される画像信号に対して各種処理を行う撮像信号処理部である。
【００３４】
撮像信号処理部１０４は、撮像素子１０３から出力される画像信号の増幅処理や、アナログからディジタルへの変換を行うＡ／Ｄ変換処理、Ａ／Ｄ変換後のデジタルデータに対するキズ補正等の各種の補正処理を行う。
【００３５】
更に、撮像信号処理部１０４は、デジタルデータを画像データへ変換する現像処理、或いは、画像データを圧縮する圧縮処理等を行う。
【００３６】
１０８は、各種の演算処理と撮像装置１００１の全体を統括的に制御する制御・演算部である。
【００３７】
１０７は、画像データ等を一時的に記憶するためのメモリと、各種の調整値や制御・演算部１０８による各種の制御を実行させるためのプログラム等を記憶するためのメモリとの両機能を有する記憶部である。
【００３８】
１０９は、画像データ等の各種のデータを記録する半導体メモリ等からなる着脱可能な記録媒体である。記録媒体１０９は、撮影により得られた画像データ等の記録、また、制御・演算部１０８による制御に応じて画像データ等の読み出しが可能である。
【００３９】
１１０は、撮影した静止画像や動画像、及び各種設定画面等を表示する表示部である。なお、１１０は、液晶ディスプレイなどの表示装置とタッチパッドなどの位置入力装置とが組み合わされたタッチパネルである。本実施例では、ユーザによる入力を受け付ける手段として、タッチパネルを例に説明するが、カメラに設けられた物理的に操作ボタンであっても構わない。
【００４０】
図４、図５、図６、図７に示す図は、撮像装置１００１の背面を示す図の一例であり、撮像装置１００１は、当該背面の表示部１１０に、図４、図５、図６、図７に示す通りの各種画面を表示する。
【００４１】
１１１は、コンピュータ等の外部装置１１６（例えばＷｅｂサーバ１００３）と通信するための外部インターフェース（Ｉ／Ｆ）部である。
【００４２】
１１２は、撮影者が撮像装置（カメラ）１００に対して行う撮影開始指示、モード変更等の操作を検出するスイッチ（ＳＷ）検出部である。
【００４３】
焦点調節制御と露光量の制御は、被写体の合焦状態を調べる合焦測定部１１３と被写体の輝度を測定する測光部１１４の出力信号に基づいて、レンズ駆動部１０５とシャッタ駆動部１０６が全体制御・演算部１０８により制御される。
【００４４】
１１５は、データの伝送路であり、各デバイス（制御・演算部１０８、撮像素子  １０３、撮像信号処理部１０４、レンズ駆動部１０５、シャッタ駆動部１０６、記憶部１０７、記録媒体１０９、表示部１１０、外部インターフェース（Ｉ／Ｆ）部１１１、スイッチ（ＳＷ）検出部１１２、合焦測定部１１３、測光部１１４等）間でデータの送受信を行うことが可能である。
＜図３の説明＞
【００４５】
以下、図３を用いて、図１に示したＷｅｂサーバ１００３に適用可能な情報処理装置のハードウェア構成について説明する。
【００４６】
図３は、図１に示したＷｅｂサーバ１００３に適用可能な情報処理装置のハードウェア構成を示すブロック図の一例を示す図である。
【００４７】
図３において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００４８】
また、外部メモリ２１１には、図８に示す各種テーブルの情報を記憶している。
【００４９】
すなわち、外部メモリ２１１は、本発明の記憶手段の適用例であり、複数の写真データと、ユーザを識別するユーザ情報（ユーザＩＤ）に対応して、当該ユーザが保有する撮影機器（レンズ等のレンズ機器（レンズ装置））を示す撮影機器情報（レンズＩＤやレンズ名称）を記憶する。
【００５０】
撮影機器は、撮像装置１００１に着脱可能なレンズ装置である。
【００５１】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００５２】
また、２０５は入力コントローラで、キーボード（ＫＢ２０９）や不図示のマウス等のポインティングデバイス等の入力装置からの入力を制御する。２０６はビデオコントローラで、液晶ディスプレイ等のディスプレイ２１０への表示を制御する。なお、２１０のディスプレイは、タッチパネルになっており、ディスプレイ上の画面を押下されることにより操作することが可能な入力装置としても機能する。
【００５３】
２０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００５４】
２０８は通信Ｉ／Ｆコントローラで、ネットワークを介して外部機器と接続・通信するものであり、ネットワークでの通信制御処理を実行する。例えば、ＴＣＰ／ＩＰを用いた通信等が可能である。
【００５５】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００５６】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
＜図９の説明＞
【００５７】
図９は、図１における撮像装置１００１とＷｅｂサーバ１００３とが実行する制御処理手順を示すフローチャートの一例を示す図である。
【００５８】
図９に示すステップＳ９０１、ステップＳ９０５からステップＳ９０７、ステップＳ９１１からステップＳ９１８までの処理手順は、撮像装置１００１の制御・演算部１０８により実行され実現される。
【００５９】
また、図９に示すステップＳ９０２からステップＳ９０４、ステップＳ９０８からステップＳ９１０、ステップＳ９１９に示す処理手順は、Ｗｅｂサーバ１００３のＣＰＵ２０１により実行され実現される。
【００６０】
まず、ユーザ（撮影者）の指示に応じて撮像装置１００１の電源が入れられ起動される。
【００６１】
そして、撮像装置１００１は、Ｗｅｂサーバ１００３に対して、写真公開サイトへのアクセス要求を送信すると、Ｗｅｂサーバ１００３は、当該要求を受信して、撮像装置１００１に対して、写真公開サイトにログインするためのログイン画面を送信する。
【００６２】
撮像装置１００１は、ＷＥＢサーバ１００３から受信したログイン画面を表示部１１０に表示する。
【００６３】
図４は、撮像装置１００１の表示部１１０に表示された写真公開サイトへのログイン画面の一例を示す図である。
【００６４】
図４に示すログイン画面には、ログインＩＤ（会員ＩＤ）の入力を受け付ける入力欄３０１、パスワードの入力を受け付ける入力欄３０２、ログイン指示を受け付けるログインボタン３０３が表示されている。
【００６５】
撮像装置１００１は、ユーザにより、ログインＩＤが入力欄３０１に入力され、パスワードが入力欄３０２に入力され、ログインボタン３０３が押下された場合に、当該入力されたログインＩＤ、パスワードをＷｅｂサーバ１００３に送信してユーザ認証の要求を送信する（ステップＳ９０１）。
【００６６】
ステップＳ９０１は、本発明のユーザ情報送信手段の適用例であり、ユーザを識別するユーザ情報（ユーザＩＤ）をＷｅｂサーバ１００３に送信する。
【００６７】
そして、Ｗｅｂサーバ１００３は、ログインＩＤ、パスワードを受信して当該ユーザ認証の要求を受信すると（ステップＳ９０２）、Ｗｅｂサーバ１００３の外部メモリ２１１に記憶されたログインＩＤ、パスワードと、当該受信したログインＩＤ、パスワードとが一致するか否かを判定することで、ユーザの認証処理を行う（ステップＳ９０３）。
【００６８】
ステップＳ９０２は、本発明のユーザ情報受信手段の適用例であり、撮像装置１００１から、ユーザを識別するユーザ情報（ユーザＩＤ）を受信する。
【００６９】
Ｗｅｂサーバ１００３は、外部メモリ２１１に記憶されたログインＩＤ、パスワードと、当該受信したログインＩＤ、パスワードとが一致すると判定された場合には、認証成功と判定し、一致しないと判定された場合には、認証失敗と判定する。
【００７０】
ここで説明するログインＩＤは、後述する会員ＩＤと同一である。
【００７１】
Ｗｅｂサーバ１００３は、認証失敗したと判定した場合には、ステップＳ９０４以降の処理を実行しない。
【００７２】
一方、Ｗｅｂサーバ１００３は、認証成功と判定した場合には、ステップＳ９０４に処理を移行する。
【００７３】
Ｗｅｂサーバ１００３は、ステップＳ９０４において、図５に示す環境情報選択画面を、撮像装置１００１に送信する。
【００７４】
撮像装置１００１は、Ｗｅｂサーバ１００３から、環境情報選択画面を受信すると（ステップＳ９０５）、撮像装置１００１の表示部１１０に、当該環境情報選択画面を表示して、当該画面を介して各種選択、及び入力を受け付ける（ステップＳ９０５）。
【００７５】
図５は、撮像装置１００１の表示部１１０に表示された環境情報選択画面の一例を示す図である。
【００７６】
図５に示す環境情報選択画面には、現在の撮影場所の選択を受け付けるボタンとして、屋外ボタン３０４、屋内ボタン３０５が表示されており、このうち何れか１つのボタンの選択を受け付け可能に表示されている。
【００７７】
また、図５に示す環境情報選択画面には、現在の撮影場所の地域の選択を受け付けるプルダウン３０６が表示されている。
【００７８】
図５の例では、現在の撮影場所の地域として、「北海道」が選択されている。
【００７９】
また、図５に示す環境情報選択画面には、現在地の現在の天候の選択を受け付けるボタンとして、晴れボタン３０７、曇りボタン３０８、雨ボタン３０９が表示されている。
【００８０】
また、図５に示す環境情報選択画面には、認証されたユーザ（会員）が保有している撮影機器（例えばレンズ）を選択するプルダウン３１０が表示される。
【００８１】
プルダウン３１０で表示される撮影機器（例えばレンズ）のリストは、ステップＳ９０４において、Ｗｅｂサーバ１００３が外部メモリ２１１を検索して取得したリストであり、ステップＳ９０４において、Ｗｅｂサーバ１００３が、当該リストを撮像装置に送信している。
【００８２】
撮像装置１００１は、ステップＳ９０５で、当該リストも受信しており、プルダウン３１０には、当該リストが表示する。
【００８３】
具体的には、Ｗｅｂサーバ１００３は、ステップＳ９０２で受信したログインＩＤ（会員ＩＤ）をキーに、外部メモリ２１１に記憶されている図８に示すテーブル４０３、テーブル４０４を検索して、当該会員ＩＤに関連付けられたレンズＩＤ、及びレンズ名称を取得して、取得したレンズＩＤ、及びレンズ名称のリストをプルダウン３１０で表示する環境選択画面を生成して、撮像装置１００１に送信する（ステップＳ９０４）。
【００８４】
図８に示すテーブル４０３は、会員ＩＤと、当該会員ＩＤが所有しているレンズを識別するレンズＩＤとが関連付けられて記憶されている。
【００８５】
そのため、例えば、Ｗｅｂサーバ１００３は、ステップＳ９０３の認証処理で認証された会員ＩＤが「１００００００１」が所有しているレンズのレンズＩＤは、「００１」と「００２」であることを特定する。
【００８６】
また、テーブル４０４は、レンズＩＤと、当該レンズＩＤで識別されるレンズのレンズ名称とが関連付けられて記憶されている。
【００８７】
そのため、当該特定されたレンズＩＤ（「００１」と「００２」）のレンズ名称は、「レンズ１」と、「レンズ２」であることが特定される。
【００８８】
この場合、プルダウン３１０には、レンズＩＤとして「００１」、「００２」、レンズ名称として「レンズ１」、「レンズ２」がリスト表示される。
【００８９】
また、図５に示す環境情報選択画面の３１１は、確定ボタンである。
【００９０】
撮像装置１００１は、ユーザの操作に従って、情報環境選択画面を介して、現在の撮影場所、現在の撮影の地域、現在地の天候、現在の撮像装置１００１で使用するレンズの選択を受け付ける。
【００９１】
そして、撮像装置１００１は、確定ボタン３１１が押下された場合には、Ｗｅｂサーバ１００３に対して、情報環境選択画面を介して選択された選択結果を送信する（ステップＳ９０７）。
【００９２】
ステップＳ９０７は、本発明の検索条件送信手段の適用例であり、外部メモリ２１１に記憶された各撮影機器情報（レンズＩＤやレンズ名）のうち、いずれかの撮影機器情報を含む検索条件をＷｅｂサーバ１００３に送信する。
【００９３】
また、このとき、撮像装置１００１は、撮像装置１００１を識別するカメラＩＤ、又はカメラ名称を送信する。
【００９４】
例えば、情報環境選択画面を介して、ユーザにより、現在の撮影場所として、「屋外」を示す屋外ボタン３０４が押下され、現在の撮影の地域として「北海道」を示す北海道がプルダウンで選択され、現在地の天候として「晴れ」を示す晴れボタン３０７が押下され、現在の撮像装置１００１で使用する、ユーザ保有のレンズとして、「レンズ１」が選択され、確定ボタン３１１が押下された場合、撮像装置１００１は、現在の撮影場所としての情報として「屋外」、現在の撮影の地域としての情報として「北海道」、現在地の天候としての情報として「晴れ」、現在の撮像装置１００１で使用する、ユーザ保有のレンズとしての情報として「レンズ１」がＷｅｂサーバ１００３に送信する。
【００９５】
また、このとき、撮像装置１００１は、撮像装置１００１を識別するカメラＩＤとして「０００１」、又はカメラ名称として「カメラ１」を送信する。
【００９６】
Ｗｅｂサーバ１００３は、撮像装置１００１から、情報環境選択画面を介して選択された選択結果、及び、カメラＩＤ又はカメラ名称を受信すると（ステップＳ９０８）、情報環境選択画面を介して選択された選択結果、及び、カメラＩＤ又はカメラ名称を検索条件として図８に示す各種テーブルから、該当する写真データを取得する。このとき取得した写真データを表示する優先順位である表示優先順位を１位にする。
【００９７】
ステップＳ９０８は、本発明の受信手段の適用例であり、外部メモリに記憶された各撮影機器情報（レンズＩＤやレンズ名）のうち、いずれかの撮影機器情報を含む検索条件を撮像装置から受信する。
【００９８】
また、Ｗｅｂサーバ１００３は、カメラＩＤ又はカメラ名称や、情報環境選択画面を介して、ユーザにより選択された現在の撮影場所、現在の撮影の地域、現在地の天候はそのまま検索条件にし、プルダウン３１０で表示されたものの選択されなかったユーザ保有のレンズ（例えば、「ＥＦ７０−３００ｍｍｆ・４−５．６ＩＳＵＳＭ」）を検索条件にして、図８に示す各種テーブルから、該当する写真データを取得する。このとき取得した写真データを表示する優先順位である表示優先順位を２位にする。
【００９９】
また、Ｗｅｂサーバ１００３は、カメラＩＤ又はカメラ名称や、情報環境選択画面を介して、ユーザにより選択された現在の撮影場所、現在の撮影の地域、プルダウン３１０で選択された保有レンズはそのまま検索条件にし、現在地の天候は検索条件から除外して、図８に示す各種テーブルから、該当する写真データを取得する。このとき取得した写真データを表示する優先順位である表示優先順位を３位にする。さらに、Ｗｅｂサーバ１００３は、当該検索条件から現在の撮影場所を更に除外した検索条件に該当する写真データを取得して、当該取得した写真データを表示する優先順位である表示優先順位を４位にする（ステップＳ９０９）。
【０１００】
この表示優先順位の値が低い写真データから順番（優先的）に、ステップＳ９１２では表示される。
【０１０１】
ステップＳ９０９は、本発明の取得手段の適用例であり、ステップＳ９０２で受信したユーザ情報（ユーザＩＤ（会員ＩＤ））に対応して記憶された各撮影機器情報（レンズＩＤやレンズ名称）により示される撮影機器（レンズ装置（レンズ））が装着された撮像装置で撮影された複数の写真データを外部メモリ２１１から取得する。
【０１０２】
また、ステップＳ９０９は、本発明の特定手段の適用例でもあり、取得手段で取得された複数の写真データのうち、ステップＳ９０８（受信手段）で受信した検索条件に含まれる撮影機器情報（レンズＩＤやレンズ名称）により示される撮影機器が装着された撮像装置で撮影された写真データを特定する。
＜図８の説明＞
【０１０３】
ここで、図８に示す各種データテーブルについて、説明する。
【０１０４】
図８は、Ｗｅｂサーバ１００３の外部メモリ２１１に記憶された各種データテーブルの一例を示す図である。
【０１０５】
テーブ４０１は、会員ＩＤと、当該会員ＩＤで識別される会員（ユーザ）が所有するカメラを識別するカメラＩＤとが関連付けられて記憶されている。
【０１０６】
また、テーブル４０２は、カメラＩＤと、当該カメラＩＤで識別されるカメラのカメラ名称とが関連付けられて記憶されている。
【０１０７】
また、テーブル４０３は、会員ＩＤと、当該会員ＩＤで識別される会員（ユーザ）が所有するレンズを識別するレンズＩＤとが関連付けられて記憶されている。
【０１０８】
また、テーブル４０４は、レンズＩＤと、当該レンズＩＤで識別されるレンズのレンズ名称とが関連付けられて記憶されている。
テーブル４０３、テーブル４０４の例では、会員ＩＤが１００００００１は、レンズＩＤが００１、００２の２つのレンズ装置を保有しており、それらのレンズＩＤのレンズ名称は、テーブル４０４から、それぞれ、レンズ１、レンズ２であることを特定することができる。
このように、外部メモリ２１１には、ユーザが保有する撮影機器（レンズ装置）を示す撮影機器情報（レンズＩＤやレンズ名）を複数記憶している。
【０１０９】
また、テーブル４０５は、各地域の過去の時期・時間（年月日、日時）とその時期の天候とが関連付けられて記憶されている。
【０１１０】
また、テーブル４０６は、写真を識別する写真ＩＤと、当該写真が撮影された地域の名称と、当該写真が撮影された撮影場所とが関連付けられて記憶されている。
【０１１１】
また、テーブル４０７は、写真のＥＸＩＦ情報の一例を示すデータテーブルであって、写真を識別する写真ＩＤと、当該写真が撮影された時期・時間（年月日、日時）と、当該写真の撮影に用いられた撮像装置（デジタルカメラ）を識別するカメラＩＤと、当該写真の撮影に用いられたレンズを識別するレンズＩＤと、当該写真の撮影時の撮像装置、及びレンズの設定情報（シャッター速度、絞り、露出、焦点距離、ストロボ、ホワイトバランス、ＩＯＳ）とが、それぞれ関連付けられて記憶されている。
【０１１２】
また、テーブル４０６、テーブル４０７の写真ＩＤにより識別される写真のデータ（写真データ）も、Ｗｅｂサーバ１００３の外部メモリ２１１に記憶されている。
【０１１３】
例えば、撮影場所が「屋外」で、撮影の地域が「北海道」で、天候が「晴れ」の時期・時間（年月日・日時）で、撮像装置１００１がカメラ１（カメラＩＤが０００１）で、使用されたレンズがレンズ１（レンズＩＤが００１）で撮影された写真ＩＤが０００３、０００４で識別される写真データが、検索条件に合致する写真データとして検索され、表示優先順位が１位の写真データとして検索される。
【０１１４】
また、例えば、撮影場所が「屋外」で、撮影の地域が「北海道」で、天候が「晴れ」の時期・時間（年月日・日時）で、撮像装置１００１がカメラ１（カメラＩＤが０００１）で、使用されたレンズがレンズ２（レンズＩＤが００２）で撮影された写真ＩＤが０００５で識別される写真データが、検索条件に合致する写真データとして検索され、表示優先順位が２位の写真データとして検索される。
【０１１５】
そして、Ｗｅｂサーバ１００３は、ステップＳ９０９で検索された写真データを、撮像装置１００１に送信する（ステップＳ９１０）。
【０１１６】
ステップＳ９１０は、本発明の送信手段の適用例であり、ステップＳ９０９の特定手段で特定された写真データを、特定手段により特定されなかった写真データよりも優先して表示するべく撮像装置に送信する。
【０１１７】
撮像装置１００１は、Ｗｅｂサーバ１００３から、写真データを受信すると（ステップＳ９１１）、当該受信した写真データであって、表示優先順位の値が低い値の写真データから、優先的に、撮像装置１００１の表示部１１０に表示する（ステップＳ９１２）。
【０１１８】
ステップＳ９１２は、本発明の表示手段の適用例であり、ステップＳ９１１の写真データ受信手段により受信した写真データであってステップＳ９０９の特定手段により特定された写真データを、ステップＳ９０９の特定手段により特定されなかった写真データよりも優先して表示する。
【０１１９】
図６は、ステップＳ９１２で表示される写真データの一例を示す図である。
【０１２０】
図６（ａ）は、表示優先順位が１位の写真データが表示された表示部１１０の一例であり、図６（ｂ）は、表示優先順位が２位の写真データが表示された表示部１１０の一例である。
【０１２１】
図６（ａ）のように、表示部１１０に表示された表示優先順位が１位の写真データ上（写真データの右上の位置３１３）に、当該写真が撮影された際に用いられたレンズ名称（例えば、レンズ１）が表示される。
【０１２２】
また、環境情報選択画面を表示するステップＳステップＳ９０５の処理に戻る「設定画面に戻る」ボタン３１２、当該写真のＥＸＩＦ情報を撮像装置１００１に設定する「設定」ボタン３１４も写真データ上に表示される。
【０１２３】
撮像装置１００１は、「設定画面に戻る」ボタン３１２が押下されると、処理をステップＳ９０５に戻して、再度、図５に示す環境情報選択画面を表示する。
【０１２４】
また、撮像装置１００１は、「設定」ボタン３１４が押下されると、現在表示されている写真データに含まれるＥＸＩＦ情報に示される撮像装置の動作設定を、撮像装置１００１に適用して、撮像装置１００１の動作設定を自動的に行う。
【０１２５】
また、撮像装置１００１は、図６（ａ）が表示された状態で、ユーザの操作により、次の写真データの表示指示を受け付けると、次の写真データを、表示部１１０に表示する。
【０１２６】
ここで、次の写真データとは、表示優先順位が１位の他の写真データがあれば、その写真データを示し、表示優先順位が１位の他の写真データが無ければ、表示優先順位が２位の写真データを示す。
【０１２７】
次の写真データが、表示優先順位が２位の写真データの場合には、図６（ｂ）の画面が表示される。
【０１２８】
図６（ｂ）にも、写真データ上（写真データの右上の位置３１５）に、当該写真が撮影された際に用いられたレンズ名称（例えば、レンズ２）が表示される。
【０１２９】
また、図６（ｂ）でも、「設定画面に戻る」ボタン、現在表示されている写真のＥＸＩＦ情報を撮像装置１００１に設定する「設定」ボタン３１４が写真データ上に表示される。
【０１３０】
そして、撮像装置１００１は、ユーザにより、「設定」ボタンが押下されたか否かを判定し（ステップＳ９１３）、「設定」ボタンが押下されたと判定された場合には（ＹＥＳ）、処理をステップＳ９１４に移行する。一方、「設定」ボタンが押下されていないと判定された場合には（ＮＯ）、処理をステップＳ９１２に戻して、引き続き、写真データの表示を続ける。
【０１３１】
ステップＳ９１３は、本発明の受付手段の適用例であり、ステップＳ９１２の表示手段により表示された写真データに含まれる、当該写真データの撮影で用いられた撮影機器（レンズ機器）の設定情報を、撮影機器が装着された撮像装置に設定する、ユーザによる指示を受け付ける。
【０１３２】
現在、表示部１１０に表示されている写真のＥＸＩＦデータ（ＥＸＩＦ情報）は、図８のテーブル４０７の、当該写真を識別する写真ＩＤのレコードに記載されている内容である。
【０１３３】
また、撮像装置１００１は、現在、装着されているレンズの種類（名称）を認識している。
【０１３４】
撮像装置１００１は、ステップＳ９１４において、「設定」ボタンが押下された際に表示部１１０に表示されていた写真データのＥＸＩＦ情報に含まれるレンズＩＤにより識別されるレンズ名称が、現在、撮像装置１００１に装着されているレンズのレンズ名称と同一であるか否かを判定することで、写真データのＥＸＩＦ情報に含まれるレンズＩＤにより識別されるレンズが、現在、撮像装置１００１に装着されているレンズと同一であるか否かを判定する。
【０１３５】
ＥＸＩＦ情報には、テーブル４０７には記載されていないが、レンズＩＤで識別されるレンズ名称も含まれているものとする。
【０１３６】
また、レンズ（交換レンズの機器）には、当該レンズのレンズ名称が記憶されており、当該レンズからレンズ名称を、撮像装置１００１が取得することにより、ステップＳ９１４の判定を行うことができる。
【０１３７】
ステップＳ９１４は、本発明の判定手段の適用例であり、ステップＳ９１３で選択を受け付けた場合に、ステップＳ９１２の表示手段により表示されている写真データに含まれる、当該写真データの撮影で用いられた撮影機器と、撮像装置１００１が装着された撮影機器（レンズ機器）とが一致するか否か判定する。
【０１３８】
そして、撮像装置１００１は、写真データのＥＸＩＦ情報に含まれるレンズＩＤにより識別されるレンズが、現在、撮像装置１００１に装着されているレンズと同一であると判定された場合には（ＹＥＳ）、当該写真データの撮影で撮影された機材と、現在、撮像装置１００１に装着された機材とが同一であるため、当該ＥＸＩＦ情報に含まれる設定情報（シャッター速度、絞り、露出、焦点距離、ストロボ、ホワイトバランス、ＩＯＳなど）を、撮像装置１００１に自動的に適用・設定する（ステップＳ９１６）。
【０１３９】
ステップＳ９１６は、本発明の設定手段の適用例であり、ステップＳ９１２の表示手段により表示された写真データに含まれる、当該写真データの撮影で用いられた撮影機器（レンズ機器）の設定情報を、撮影機器が装着された撮像装置１００１に設定する。
【０１４０】
一方、撮像装置１００１は、写真データのＥＸＩＦ情報に含まれるレンズＩＤにより識別されるレンズが、現在、撮像装置１００１に装着されているレンズと同一ではないと判定された場合には（ＮＯ）、当該写真データの撮影で撮影された機材と、現在、撮像装置１００１に装着された機材とが同一ではないため、すなわち、当該写真データの撮影に用いられたレンズが装着されていないため、図７に示す警告画面を表示部１１０に表示する（ステップＳ９１５）。
【０１４１】
図７は、ステップＳ９１５で表示される警告画面３１６の一例を示す図である。
【０１４２】
図７に示すように、警告画面３１６には、現在、装着しているレンズでは、当該写真データのＥＸＩＦ情報を撮像装置１００１に自動設定できないため、レンズを交換すべき旨のメッセージを表示する。
【０１４３】
また、警告画面３１６上に、交換すべきレンズ名称が表示される。
【０１４４】
これにより、どのレンズに交換する必要があるのかをユーザは、把握し易くなる。
【０１４５】
ステップＳ９１５は、本発明の通知手段の適用例であり、ステップＳ９１４の判定手段により、ステップＳ９１２の表示手段により表示された写真データに含まれる、当該写真データの撮影で用いられた撮影機器（レンズ装置）と、撮像装置が装着された撮影機器（レンズ装置）とが一致しないと判定された場合に、撮像装置が装着された撮影機器（レンズ装置）を、当該写真データの撮影で用いられた撮影機器に交換するべく通知する。
【０１４６】
そして、ユーザは、撮像装置１００１に装着されているレンズを、警告画面３１６上に表示されたレンズ名称のレンズ（ユーザ保有のレンズ）に交換する。
【０１４７】
そして、撮像装置１００１は、交換されたレンズからレンズ名称を取得し、当該取得したレンズ名称を用いて、再度、ステップＳ９１４の処理を行う。
【０１４８】
撮像装置１００１は、ユーザによる撮影指示を受け付けると、シャッターを切り写真撮影を行う（ステップＳ９１７）。
【０１４９】
そして、撮像装置１００１は、ステップＳ９１７の写真撮影で得られた写真データをＷｅｂサーバ１００３に登録するべく送信（アップロード）する（ステップＳ９１８）。
【０１５０】
Ｗｅｂサーバ１００３は、撮像装置１００１から受信した写真データを外部メモリ２１１に記憶すると共に、図８に示すテーブル４０６、４０７に、当該写真のＥＸＩＦ情報、撮影した地域、撮影場所、天候を登録する。
【０１５１】
撮像装置１００１は、ステップＳ９１８の処理が終了すると、所定のステップ（ステップＳ９１０からステップＳ９１７の何れかのステップ）の処理に戻る、又は、処理を終了する。
【０１５２】
Ｗｅｂサーバ１００３は、ステップＳ９１９の処理が終了すると、所定のステップ（ステップＳ９０２からステップＳ９１９の何れかのステップ）の処理に戻る、又は、処理を終了する。
【０１５３】
以上説明したように、本実施の形態によれば、ユーザが保有する撮影機器、撮像装置で撮影された他のユーザが撮影した写真を確認可能にし、当該写真の撮影で用いられた撮影機器の設定情報を、自撮像装置に容易に設定することができる。  
【０１５４】
以上、本発明の一実施形態を詳述したが、本発明は、例えば、システム、装置、方法、装置で実行可能なプログラムもしくは記憶媒体等としての実施態様をとることが可能である。  
【０１５５】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。すなわち、本発明は、撮像装置としてだけはなく、パーソナルコンピュータなどの情報処理装置として適用することも可能である。  
【０１５６】
この場合、記憶媒体から読み出されたプログラムコード自体が前述した実施形態の機能を実現することになり、プログラムコード自体及びそのプログラムコードを記憶した記憶媒体は本発明を構成することになる。  
【０１５７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。  
【０１５８】
また、コンピュータが読み出したプログラムコードを実行することにより、前述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。
【符号の説明】
【０１５９】
１００１  撮像装置（カメラ）
１００２  ネットワーク
１００３  Ｗｅｂサーバ
【図１】
2017017471.tif 000003
【図２】
2017017471.tif 000004
【図３】
2017017471.tif 000005
【図４】
2017017471.tif 000006
【図５】
2017017471.tif 000007
【図６】
2017017471.tif 000008
【図７】
2017017471.tif 000009
【図８】
2017017471.tif 000010
【図９】
2017017471.tif 000011